(57)【要約】【課題】直感的に効率よくコンテンツを探し出せるメニュー操作を提供する。【解決手段】リモコン端末１の傾きに対応させて選択可能にアイコンを表示し、アイコンにフォルダや文字を関連付ける。これにより、リモコン端末１を傾けるだけでフォルダの選択や文字の選択ができ、カーソル移動のためにキーを何度も押す必要がなくなる。また、ユーザの文字入力行動を検知してアイコンにフォルダや文字を適宜関連付ける。これにより、ユーザは、文字入力とフォルダの選択を切り替える煩わしさがなくなる。【選択図】図３
2011002931.tif 000002
【特許請求の範囲】
【請求項１】
傾きを検出する傾き検出手段とキーの押下を検出するキー入力手段とを有する小型端末装置から送信される信号に基づいてメニューを操作する操作装置であって、
フォルダ毎にコンテンツを管理する管理手段と、
前記信号を受信する受信手段と、
受信した前記信号から前記小型端末装置が検出した傾き情報とキー入力情報を取得する情報入力手段と、
前記フォルダあるいは文字に関連付けた複数のアイコンと、文字の入力を受け付ける文字入力領域と、前記コンテンツの一覧を表示する一覧表示領域を有するメニューを表示する表示手段と、
前記傾き情報に基づいて前記アイコンを選択するとともに、前記キー入力情報に基づいてフォルダに関する操作あるいは文字に関する操作を行い、選択された前記アイコンに関連付けられたフォルダ及び前記文字入力領域に入力された文字に基づいて前記一覧表示領域を更新し、前記キー入力情報に基づいて前記一覧表示領域から利用するコンテンツを選択する操作手段と、
を有することを特徴とする操作装置。
【請求項２】
前記操作手段は、選択した前記アイコンにフォルダが関連付けられている場合に、前記キー入力情報が文字に関する操作を示すときは前記アイコンに文字を関連付け、選択した前記アイコンが文字に関連付けられている場合に、所定の時間、前記傾き情報の変化及び文字に対する操作を示す前記キー入力情報を取得しないときは前記アイコンをフォルダに関連付けることを特徴とする請求項１記載の操作装置。
【請求項３】
前記文字に対応させた前記フォルダ毎にコンテンツを管理することを特徴とする請求項２記載の操作装置。
【請求項４】
傾きを検出する傾き検出手段とキーの押下を検出するキー入力手段とを有する小型端末装置から送信される信号に基づいてメニューを操作する操作方法であって、
前記信号を受信するステップと、
受信した前記信号から前記小型端末装置が検出した傾き情報とキー入力情報を取得するステップと、
コンテンツを管理するフォルダあるいは文字に関連付けた複数のアイコンと、文字の入力を受け付ける文字入力領域と、前記コンテンツの一覧を表示する一覧表示領域を有するメニューを表示するステップと、
前記傾き情報に基づいて前記アイコンを選択するステップと、
前記キー入力情報に基づいてフォルダに関する操作あるいは文字に関する操作を行うステップと、
選択された前記アイコンに関連付けられたフォルダ及び前記文字入力領域に入力された文字に基づいて前記一覧表示領域を更新するステップと、
前記キー入力情報に基づいて前記一覧表示領域から利用するコンテンツを選択するステップと、
を有することを特徴とする操作方法。
【請求項５】
選択した前記アイコンにフォルダが関連付けられている場合に、前記キー入力情報が文字に関する操作を示すときは前記アイコンに文字を関連付け、選択した前記アイコンが文字に関連付けられている場合に、所定の時間、前記傾き情報の変化及び文字に対する操作を示す前記キー入力情報を取得しないときは前記アイコンをフォルダに関連付けるステップを有することを特徴とする請求項４記載の操作方法。
【請求項６】
前記文字に対応させた前記フォルダ毎にコンテンツを管理することを特徴とする請求項５記載の操作方法。
【請求項７】
傾きを検出する傾き検出手段とキーの押下を検出するキー入力手段とを有する小型端末装置から送信される信号に基づいてメニューを操作する操作装置に、
前記信号を受信する処理と、
受信した前記信号から前記小型端末装置が検出した傾き情報とキー入力情報を取得する処理と、
コンテンツを管理するフォルダあるいは文字に関連付けた複数のアイコンと、文字の入力を受け付ける文字入力領域と、前記コンテンツの一覧を表示する一覧表示領域を有するメニューを表示する処理と、
前記傾き情報に基づいて前記アイコンを選択する処理と、
前記キー入力情報に基づいてフォルダに関する操作あるいは文字に関する操作を行う処理と、
選択された前記アイコンに関連付けられたフォルダ及び前記文字入力領域に入力された文字に基づいて前記一覧表示領域を更新する処理と、
前記キー入力情報に基づいて前記一覧表示領域から利用するコンテンツを選択する処理と、
を実行させることを特徴とする操作プログラム。
【請求項８】
選択した前記アイコンにフォルダが関連付けられている場合に、前記キー入力情報が文字に関する操作を示すときは前記アイコンに文字を関連付け、選択した前記アイコンが文字に関連付けられている場合に、所定の時間、前記傾き情報の変化及び文字に対する操作を示す前記キー入力情報を取得しないときは前記アイコンをフォルダに関連付ける処理を有することを特徴とする請求項７記載の操作プログラム。
【請求項９】
前記文字に対応させた前記フォルダ毎にコンテンツを管理することを特徴とする請求項８記載の操作プログラム。
【請求項１０】
請求項７乃至９のいずれかに記載の操作プログラムを記録した記録媒体。
【発明の詳細な説明】
【技術分野】
【０００１】
本発明は、リモコン端末から送信される情報に基づいて、テレビ画面に表示されるメニューを操作する技術に関する。
【背景技術】
【０００２】
近年、デジタル機器同士が有線通信や無線通信で接続され、さらにデジタル機器がインターネットなどのネットワークに接続されることで、利用可能なコンテンツの量が飛躍的に増加している。そのため、ユーザが所望のコンテンツを発見し、利用するための、直感的でわかりやすいメニュー画面と煩わしくない操作方法が求められている。コンテンツの例としては、動画、静止画、音声、テキスト、およびプログラムなどがある。
【０００３】
従来、いくつもの階層に分かれたフォルダを移動してコンテンツを選択していた。図１８は、従来のコンテンツ選択のための画面を示す図である。図１８に示すメニューでは、右の方向キーによって１つ下位の階層へ移動し、左の方向キーによって１つ上位の階層へ移動する操作を行う。ユーザはこのような操作により階層を移動して所望のコンテンツを探す。同図に示す例では、ｋ〜ｋ＋２階層の３階層分のフォルダ、コンテンツを表示している。画面に表示しきれないものに関してはスクロールバーを操作することで表示する。
【０００４】
また、検索ウィンドウを表示してキーワードを受け付け、そのキーワードによってコンテンツを絞り込むメニューも存在する。コンテンツを絞り込むことによって画面に表示されるコンテンツが少なくなり、より効率よくコンテンツを探すことができる。キーボードなどの入力装置を用いることでキーワードの入力が容易となるが、デジタルテレビなど画面から離れて操作する機器では、キーボードは大きく、テーブル等のキーボードを置く場所が必要であり、扱いにくい。マウスなどの入力装置はキーボードに比べて小さいが、操作をするためのスペースが必要である。他方、扱いが容易なリモコン端末でキーワードの入力を行うにはキー数が不足するという問題が生じる。
【０００５】
そこで、情報を入力する方法として、キーを押す順番を判定して数字を入力する方法や目印となる物体を動かして操作する方法などが考えられている（特許文献１，２参照）。
【先行技術文献】
【特許文献】
【０００６】
【特許文献１】特開平０８−１９０４５２号公報
【特許文献２】特開２００４−２７２５９８号公報
【発明の概要】
【発明が解決しようとする課題】
【０００７】
しかしながら、扱いが容易なリモコン端末を用いてフォルダを選択しコンテンツを探す場合、大量のコンテンツが存在していると、フォルダやコンテンツを選択するカーソルの移動やキーの押下を繰り返す必要があり、作業負担が大きいという問題がある。
【０００８】
また、キーの数の限られたリモコン端末でどのようにキーワードの入力を行うかという問題がある。
【０００９】
さらに、フォルダを移動しつつ、キーワードの入力を行ってコンテンツを絞り込んで探すときに、フォルダの選択画面から検索ウィンドウを選択して文字を入力し、再びフォルダの選択画面に戻るといった操作対象を切り替える手間が生じて煩わしいという問題がある。
【００１０】
本発明は、上記に鑑みてなされたものであり、その課題とするところは、直感的に効率よくコンテンツを探し出せるメニュー操作を提供することにある。
【課題を解決するための手段】
【００１１】
第１の本発明に係る操作装置は、傾きを検出する傾き検出手段とキーの押下を検出するキー入力手段とを有する小型端末装置から送信される信号に基づいてメニューを操作する操作装置であって、フォルダ毎にコンテンツを管理する管理手段と、前記信号を受信する受信手段と、受信した前記信号から前記小型端末装置が検出した傾き情報とキー入力情報を取得する情報入力手段と、前記フォルダあるいは文字に関連付けた複数のアイコンと、文字の入力を受け付ける文字入力領域と、前記コンテンツの一覧を表示する一覧表示領域を有するメニューを表示する表示手段と、前記傾き情報に基づいて前記アイコンを選択するとともに、前記キー入力情報に基づいてフォルダに関する操作あるいは文字に関する操作を行い、選択された前記アイコンに関連付けられたフォルダ及び前記文字入力領域に入力された文字に基づいて前記一覧表示領域を更新し、前記キー入力情報に基づいて前記一覧表示領域から利用するコンテンツを選択する操作手段と、を有することを特徴とする。
【００１２】
上記操作装置において、前記操作手段は、選択した前記アイコンにフォルダが関連付けられている場合に、前記キー入力情報が文字に関する操作を示すときは前記アイコンに文字を関連付け、選択した前記アイコンが文字に関連付けられている場合に、所定の時間、前記傾き情報の変化及び文字に対する操作を示す前記キー入力情報を取得しないときは前記アイコンをフォルダに関連付けることを特徴とする。
【００１３】
上記操作装置において、前記文字に対応させた前記フォルダ毎にコンテンツを管理することを特徴とする。
【００１４】
第２の本発明に係る操作方法は、傾きを検出する傾き検出手段とキーの押下を検出するキー入力手段とを有する小型端末装置から送信される信号に基づいてメニューを操作する操作方法であって、前記信号を受信するステップと、受信した前記信号から前記小型端末装置が検出した傾き情報とキー入力情報を取得するステップと、コンテンツを管理するフォルダあるいは文字に関連付けた複数のアイコンと、文字の入力を受け付ける文字入力領域と、前記コンテンツの一覧を表示する一覧表示領域を有するメニューを表示するステップと、前記傾き情報に基づいて前記アイコンを選択するステップと、前記キー入力情報に基づいてフォルダに関する操作あるいは文字に関する操作を行うステップと、選択された前記アイコンに関連付けられたフォルダ及び前記文字入力領域に入力された文字に基づいて前記一覧表示領域を更新するステップと、前記キー入力情報に基づいて前記一覧表示領域から利用するコンテンツを選択するステップと、を有することを特徴とする。
【００１５】
上記操作方法において、選択した前記アイコンにフォルダが関連付けられている場合に、前記キー入力情報が文字に関する操作を示すときは前記アイコンに文字を関連付け、選択した前記アイコンが文字に関連付けられている場合に、所定の時間、前記傾き情報の変化及び文字に対する操作を示す前記キー入力情報を取得しないときは前記アイコンをフォルダに関連付けるステップを有することを特徴とする。
【００１６】
上記操作方法において、前記文字に対応させた前記フォルダ毎にコンテンツを管理することを特徴とする。
【００１７】
第３の本発明に係る操作プログラムは、傾きを検出する傾き検出手段とキーの押下を検出するキー入力手段とを有する小型端末装置から送信される信号に基づいてメニューを操作する操作装置に、前記信号を受信する処理と、受信した前記信号から前記小型端末装置が検出した傾き情報とキー入力情報を取得する処理と、コンテンツを管理するフォルダあるいは文字に関連付けた複数のアイコンと、文字の入力を受け付ける文字入力領域と、前記コンテンツの一覧を表示する一覧表示領域を有するメニューを表示する処理と、前記傾き情報に基づいて前記アイコンを選択する処理と、前記キー入力情報に基づいてフォルダに関する操作あるいは文字に関する操作を行う処理と、選択された前記アイコンに関連付けられたフォルダ及び前記文字入力領域に入力された文字に基づいて前記一覧表示領域を更新する処理と、前記キー入力情報に基づいて前記一覧表示領域から利用するコンテンツを選択する処理と、を実行させることを特徴とする。
【００１８】
上記操作プログラムにおいて、選択した前記アイコンにフォルダが関連付けられている場合に、前記キー入力情報が文字に関する操作を示すときは前記アイコンに文字を関連付け、選択した前記アイコンが文字に関連付けられている場合に、所定の時間、前記傾き情報の変化及び文字に対する操作を示す前記キー入力情報を取得しないときは前記アイコンをフォルダに関連付ける処理を有することを特徴とする。
【００１９】
上記操作プログラムにおいて、前記文字に対応させた前記フォルダ毎にコンテンツを管理することを特徴とする。
【００２０】
第４の本発明に係る記録媒体は、上記操作プログラムのいずれかを記録したことを特徴とする。
【発明の効果】
【００２１】
本発明によれば、直感的に効率よくコンテンツを探し出せるメニュー操作を提供することができる。
【図面の簡単な説明】
【００２２】
【図１】本実施の形態における全体システム構成およびリモコン端末のキーを示す概略図である。
【図２】リモコン端末の機能構成を示す機能構成図である。
【図３】デジタルテレビの機能構成を示す機能構成図である。
【図４】メニューの構成を示す概略図である。
【図５】フォルダのツリー構造を説明する図である。
【図６】リモコン端末の傾き方向を説明する図である。
【図７】各方向に対応するリモコン端末の傾きを示す図である。
【図８】リモコン端末の傾きに応じて選択される方向を示す図である。
【図９】文字入力の一例を示す図である。
【図１０】文字入力の際のメニューの構成を示す概略図である。
【図１１】フォルダ選択処理および文字入力処理の流れを示すフローチャートである。
【図１２】メニューを立ち上げたときのメニューの様子を示す図である。
【図１３】「さ」行フォルダを選択したときのメニューの様子を示す図である。
【図１４】「す」フォルダを選択したときのメニューの様子を示す図である。
【図１５】「か」行フォルダを選択したときのメニューの様子を示す図である。
【図１６】「か」行フォルダを選択し、「きた」と検索バーに入力したときのメニューの様子を示す図である。
【図１７】図１６においてコンテンツリストからコンテンツを選択する様子を示す図である。
【図１８】従来のフォルダ選択を説明する図である。
【発明を実施するための形態】
【００２３】
以下、本発明の実施の形態について図面を用いて説明する。
【００２４】
図１は、本実施の形態における全体システム構成およびリモコン端末のキーを示す概略図である。この全体システムは、赤外線等の無線や有線により互いに通信可能なリモコン端末１（小型端末装置に相当）及びデジタルテレビ２（操作装置に相当）により構成されている。ユーザによるリモコン端末１の操作に対応する情報をデジタルテレビ２へ送信することで、デジタルテレビ２を遠隔操作することができる。デジタルテレビ２は、Ｗｅｂブラウザやウィジェット等の表示モジュールを備え、ユーザがリモコン端末１を操作した結果を画面に表示することができる。以下、リモコン端末１およびデジタルテレビ２の構成について説明する。
【００２５】
図１に示すように、リモコン端末１は、視認により判別できる識別力を有する記号が表面に描かれた複数の特殊キーからなる特殊キー部３と、上下左右の方向を指示する４つの方向キーからなる十字キー部５と、十字キー部５の中央に配置された中心キー７とを備える。各キーは、リモコン端末１を手で把持した場合に全てのキーが親指の可動範囲に収まるよう所定の範囲内に配置されている。特殊キー部３は、電源キー３１、決定キー３２、削除キー３３、プラスキー３４、マイナスキー３５、左矢印キー３６、および右矢印キー３７を備える。十字キー部５は、上方向キー５１、下方向キー５２、左方向キー５３、および右方向キー５４を備える。
【００２６】
図２は、リモコン端末１の機能構成を示す機能構成図である。同図に示すように、リモコン端末１は、キー状態検出部１１（キー入力手段に相当）、傾き検出部１２（傾き検出手段に相当）、マイコン部１３、および送信部１４を備える。リモコン端末１には、傾き検出センサなどの機能が備わっており、傾き検出センサにより検出されたリモコン端末１の傾き情報およびユーザのキーの押下げを検出したキー入力情報をデジタルテレビ２へ送る。
【００２７】
キー状態検出部１１は、特殊キー部３の各特殊キー、十字キー部５の各方向キー、および中心キー７がユーザによって押下げられた場合に、押下げられたキーがいずれのキーであるか検出する機能を備える。
【００２８】
傾き検出部１２は、ユーザによって変化したリモコン端末１の傾き（姿勢）を検出する機能を備える。このような傾き検出部１２としては、例えば、携帯電話の体感型アプリや歩行ロボット等で利用されている加速度センサや傾き検出用ジャイロセンサを用いることが可能である。
【００２９】
マイコン部１３は、キー状態検出部１１、傾き検出部１２で検出された各情報を処理し、キーの押下状態を示すキー入力情報とリモコン端末１の傾きを示す傾き情報を含む入力信号を送信部１５に送出する機能を備える。
【００３０】
送信部１４は、マイコン部１３によって処理された入力信号をデジタルテレビ２に赤外線又は無線通信で送信する機能を備える。
【００３１】
図３は、デジタルテレビ２の機能構成を示す機能構成図である。同図に示すデジタルテレビ２は、信号受信部２１（受信手段に相当）、信号分離部２２（情報入力手段に相当）、信号データ蓄積部２３、表示制御部２４（操作手段に相当）、表示出力部２５（表示手段に相当）、ディスク制御部２６、ネットワーク制御部２７、および外部メモリアクセス部２８（それぞれが管理手段に相当）を備える。なお、デジタルテレビ２は、演算処理装置、記憶装置、メモリ等を備えたコンピュータにより構成して、各部の処理がプログラムによって実行されるものとしてもよい。このプログラムはデジタルテレビ２が備える記憶装置に記憶されており、磁気ディスク、光ディスク、半導体メモリ等の記録媒体に記録することも、ネットワークを通して提供することも可能である。以下、各部について説明する。
【００３２】
信号受信部２１は、リモコン端末１から送信された入力信号を受信する機能を備える。
【００３３】
信号分離部２２は、信号受信部２１が受信した入力信号を各種情報に分離する機能を備える。具体的には、受信した入力信号からキー入力情報、傾き情報などを分離して取得する。
【００３４】
信号データ蓄積部２３は、信号分離部２２が分離した各種情報を一時的に保持する機能を備える。信号データ蓄積部２３としては、例えば、メモリ、ハードディスク等の記憶装置を用いる。
【００３５】
表示制御部２４は、受信した入力信号に基づく各種情報を信号データ蓄積部２３から読み出してメニュー操作を行う。また、ディスク制御部２６、ネットワーク制御部２７、および外部メモリアクセス部２８からコンテンツを取得して表示出力部２７に表示させる。
【００３６】
表示出力部２５は、表示制御部２４による制御結果、例えば、メニュー画面や選択されたコンテンツを画面に出力する。
【００３７】
ディスク制御部２６、ネットワーク制御部２７、および外部メモリアクセス部２８は、表示制御部２４の指示に基づいて、格納したコンテンツあるいは外部からコンテンツを取得する。ディスク制御部２６は、記憶装置等にコンテンツを格納しており、そのコンテンツを読み出して取得する。ネットワーク制御部２７は、ネットワークを介してコンテンツを取得する。外部メモリアクセス部２８は、外部の記憶装置に格納されたコンテンツを読み出して取得する。
【００３８】
次に、表示制御部２４により生成され、表示出力部２５が表示するメニューの構成について説明する。図４は、表示出力部２５が表示するメニューの構成を示す概略図である。同図に示すメニュー１００は、アイコン表示領域１１０、検索バー表示領域１２０、およびコンテンツリスト表示領域１３０を有する。
【００３９】
図４に示すように、アイコン表示領域１１０は、半円形の形状であり、外側から順に、Ａ階層１１１、Ｂ階層１１２、およびＣ階層１１３で構成される。各階層１１１〜１１３には、上、左上、左、左下、下の５カ所にフォルダに関連付けられたアイコン１１４が配置される。Ｂ階層１１２が操作対象の階層である。Ａ階層１１１は、Ｂ階層１１２より１つ上の階層である。Ａ階層１１１で選択されたフォルダに含まれるフォルダがＢ階層１１２に表示される。Ｃ階層１１３には、Ｂ階層１１２で選択されているフォルダに含まれるフォルダが表示される。ユーザがＢ階層１１２で選択しているフォルダを変更すると、Ｃ階層１１３に表示されるフォルダも変更される。
【００４０】
図５に示すようなツリー構造でフォルダが構成されている場合、操作対象がどの階層であるかによってアイコン表示領域１１０の表示内容が変化する。例えば、操作対象が図５に示す第１階層である場合、Ｂ階層１１２に第１階層に属するフォルダが表示され、Ｃ階層１１３にＢ階層１１２で選択されているフォルダに含まれるフォルダが表示される。このとき、Ａ階層１１１は表示されない。Ｂ階層１１２に表示されているフォルダを選択決定すると、操作対象が第２階層に移り、Ｂ階層１１２に表示されていた第１階層のフォルダはＡ階層１１１に表示され、Ｃ階層１１３に表示されていた第２階層のフォルダはＢ階層１１２に表示され、Ｃ階層１１３には、さらに１つ下の第３階層のフォルダが表示される。操作対象が最下位階層、図５の第４階層に到達すると、アイコン表示領域１１０には、第３階層のフォルダを表示するＡ階層１１１と第４階層のフォルダを表示するＢ階層１１２のみが表示され、Ｃ階層１１３は表示されない。
【００４１】
検索バー表示領域１２０は、リモコン端末１により入力された文字を表示する文字表示欄１２１を備える。文字入力処理については後述する。
【００４２】
コンテンツリスト表示領域１３０は、コンテンツの一覧であるコンテンツリスト１３１を表示する。コンテンツリスト表示領域１３０内に一覧のすべてが表示できない場合は、スクロールバー１３２を表示する。コンテンツリスト表示領域１３０に表示されるコンテンツリスト１３１は、アイコン表示領域１１０のＢ階層１１２で選択されているフォルダに格納されたコンテンツ、あるいは、選択されているフォルダ以下の階層に格納されたコンテンツの一覧である。文字表示欄１２１に入力された文字でコンテンツリスト表示領域１３０に表示するコンテンツを絞り込む。ユーザは、コンテンツリスト１３１のなかから利用したいコンテンツを選択する。
【００４３】
次に、リモコン端末１の操作について説明する。本実施の形態では、リモコン端末１を保持した手をロール方向に傾けることでアイコンの選択を行う。ロール方向とは、図６に示すように、リモコン端末１を保持する手が伸びる方向を軸としてリモコン端末１を傾ける方向である。ロール方向の傾きは、リモコン端末１を水平に保持した状態、つまり、リモコン端末１のキーが反重力方向を向くように保持した状態から左に９０度、右に９０度回転させる範囲とする。リモコン端末１からデジタルテレビ２へ送信される傾き情報は、図７に示すように、ユーザが直感的にわかりやすい水平・垂直方向とその間の斜め方向を対応させて５方向４ａ〜４ｅの入力とする。
【００４４】
まず、アイコンの選択とフォルダ間の移動について説明する。アイコン表示領域１１０のＢ階層１１２には、５方向４ａ〜４ｅに対応させて５つのアイコンが表示される。ユーザは、リモコン端末１をロール方向に回転させることで、Ｂ階層１１２で選択されるアイコンを変更できる。ユーザが右矢印キー３７を押すことで選択したアイコンに関連付けられたフォルダ内の階層に移動し、左矢印キー３６を押すことで１つ上の階層のフォルダに移動する。このようにユーザは、リモコン端末１を傾けてアイコンを選択し、左右矢印キー３６，３７を押すことで階層間を移動する。
【００４５】
続いて、文字入力について説明する。本実施の形態では、リモコン端末１を傾ける操作で子音を選択し、中心キー７を押すことで母音を選択する。そして、左右方向キー５３，５４を押すことで入力する文字を決定する。文字を入力するときには、図８に示すように、右側、左側それぞれ５方向４ａ〜４ｊに対応させてアイコンが表示され、リモコン端末１の傾きに対して２つのアイコンが選択されるので、ユーザは、右側、左側のいずれかを左右方向キー５３，５４で選択する。例えば、各方向４ａ〜４ｊに「あ」「か」「さ」「た」「な」「は」「ま」「や」「ら」「わ」が割り当てられている場合に、リモコン端末１の傾きが図８の左端に示す角度であったときは、方向４ａ，４ｆが選択される。このとき、ユーザが左方向キー５３を押した場合には「あ」が入力され、右方向キー５４を押した場合には「は」が入力される。中心キー７を押すことで各方向４ａ〜４ｊに割り当てられた文字が変化する。例えば、方向４ａに割り当てられる文字は、「あ」→「い」→「う」→「え」→「お」→「あ」の順で変化する。
【００４６】
図９に「き」を入力するときの様子を示す。最初に、リモコン端末１を斜めに傾けて方向４ｂ，４ｇのアイコンを選択する。方向４ｂには「か」、方向４ｇには「ま」が割り当てられている。続いて、中心キー７を２回押すことで、各方向４ａ〜４ｊに割り当てられた文字が変化し、方向４ｂに「き」が割り当てられる。最後に、左方向キー５３を押すことで「き」が入力される文字として決定される。このとき、右方向キー５４を押した場合は「み」が入力される。
【００４７】
文字の入力に用いるアイコンは、アイコン表示領域１１０に表示したアイコンを用いることができる。表示制御部２４がユーザの文字入力行動を検知した場合、アイコン表示領域１１０に表示されているアイコンを文字に関連付けて、アイコンに「あ」「か」「さ」「た」「な」などの文字を表示させる。これによりユーザはリモコン端末１を傾けることで子音の変更操作を行うことができる。右側の方向４ｆ〜４ｊに対応するアイコンは、図１０に示すように、コンテンツリスト表示領域１３０を挟むようにアイコン表示領域１１０の反対側に表示する。あるいは、文字入力行動を検知した場合にコンテンツリスト表示領域１３０を隠して、コンテンツリスト表示領域１３０のあった場所に表示してもよい。もしくは、メニューの構成は変えずに、Ｂ階層１１２のアイコンに左右方向キー５３，５４のそれぞれに対応する文字を表示してもよい。具体的には、上方向に対応するアイコンに「あ」と「は」の両方の文字を表示して、左方向キー５３で「あ」、右方向キー５４で「は」が入力されることが分かるようにする。
【００４８】
上記のように、フォルダの選択操作と子音の変更操作は、いずれもリモコン端末１を傾ける操作で同じである。そのため、現在選択しているフォルダのコンテンツの中でキーワードを入力しながらコンテンツを絞り込みたい場合、文字入力操作時に同時に選択しているフォルダも変化してしまう。その結果、対象とするフォルダ内のコンテンツがキーワードによって絞り込まれた結果がわかりづらいという問題が生じる。そこで、本実施の形態では、文字入力時の行動に着目し、文字入力行動を検知した場合は、選択しているフォルダが変更されないようにアイコンを文字に関連付けて制御する。具体的には、キー入力情報が文字に関する操作を示すときは文字入力行動中であると判断し、所定の時間、文字入力行動中にリモコン端末１の傾きの変化を検出せず、しかも文字に関する操作を示すキー入力情報を受信しないときに、文字入力行動が終了したと判断する。以下、フォルダの選択と文字入力の切り替えについて説明する。
【００４９】
図１１は、フォルダ選択処理および文字入力処理の流れを示すフローチャートである。
【００５０】
まず、デジタルテレビ２は、初期メニュー画面を表示し（ステップＳ１１）、リモコン端末１からの入力信号を待つ待機状態となる（ステップＳ１２）。入力信号の有無を判定し（ステップＳ１３）、入力信号が無ければステップＳ１２へ戻る。
【００５１】
入力信号がある場合、キーイベントの有無を判定する（ステップＳ１４）。キーイベントは、リモコン端末１のキーが押されたことを示す情報であり、入力信号のキー入力情報に含まれる。キーイベントがある場合は、どのキーが押されたのかを判定して押されたキーに対応する処理を行う。
【００５２】
左右方向キー５３，５４が押された場合は（ステップＳ１５）、左方向キー５３、あるいは右方向キー５４に対応する文字を入力し、変更された母音を初期の母音（あ、か、さ、た、な、は、ま、や、ら、わ）に戻し、タイマーをクリアする（ステップＳ１６）。入力された文字は、検索バー表示領域１２０の文字表示欄１２１に表示される。そして、文字表示欄１２１に表示された文字列（キーワード）に対応するコンテンツの一覧になるようにコンテンツリスト１３１の表示内容を変更する。タイマーは、文字入力処理の終了判定に用いられる。タイマーは、文字入力処理が行われた場合にクリアされ、タイマーが所定の閾値を超えた場合、ユーザによる文字入力が終了した判断される。
【００５３】
中心キー７が押された場合は（ステップＳ１７）、母音の変更処理を行い、タイマーをクリアする（ステップＳ１８）。母音の変更処理により、各方向４ａ〜４ｊに割り当てられる文字が変更され、左右方向キー５３，５４が押された場合に入力される文字が変わる。
【００５４】
削除キー３３が押された場合は（ステップＳ１９）、文字表示欄１２１の文字を一文字削除して、タイマーをクリアする（ステップＳ２０）。ここまでが文字入力処理に関連するキーイベントである。
【００５５】
上下方向キー５１，５２が押された場合は（ステップＳ２１）、コンテンツリスト１３１において選択されている項目を変更する（ステップＳ２２）。上方向キー５１が押された場合は、現在選択されているコンテンツの上に表示されているコンテンツを選択し、下方向キー５２が押された場合は、現在選択されているコンテンツの下に表示されているコンテンツを選択する。
【００５６】
決定キー３２が押された場合は（ステップＳ２３）、現在選択されているコンテンツの利用を開始する（ステップＳ２４）。
【００５７】
左右矢印キー３６，３７が押された場合は（ステップＳ２５）、階層を移動する（ステップＳ２６）。左矢印キー３６が押された場合は１つ上の階層へ移動し、右矢印キー３７が押された場合は１つ下の階層へ移動する。
【００５８】
続いて、リモコン端末１の傾きに変更があるか否か判定する（ステップＳ２７）。傾きに変更があり、文字入力処理中でなければＢ階層１１２で選択されているフォルダを傾きに応じて変更する（ステップＳ２８，Ｓ２９）。文字入力処理中であるか否かは、タイマーと閾値とを比較することで行う。タイマーが閾値より小さければ文字入力処理中である。
【００５９】
一方、傾きに変更があり、文字入力処理中であれば、子音の変更処理を行い、タイマーをクリアする（ステップＳ２８，Ｓ３０）。子音の変更処理は、傾きに応じて選択されている各方向４ａ〜４ｊに対応するアイコンを変更する処理である。なお、Ｂ階層１１２に表示したアイコンを文字入力で利用する場合、選択されたフォルダと選択された文字とを区別するために、例えば、選択されたフォルダを示すためにアイコンの枠を太くし、選択された文字を示すためにアイコンを灰色のハイライトで強調する。子音の変更処理、つまり、ユーザがリモコン端末１を傾けることにより、灰色のハイライトが移動する。
【００６０】
傾きに変更がない場合は、タイマーを増加させ（ステップＳ３１）、タイマーが閾値を超えたか否かを判定する（ステップＳ３２）。タイマーが閾値を超えた場合は、ユーザによる文字入力が終了したとみなしてフォルダ選択に戻る（ステップＳ３３）。
【００６１】
このように、本実施の形態では、フォルダの選択と文字入力の処理の切り替えの判定を所定時間内における文字入力処理に関するイベントの発生の有無で判断する。
【００６２】
次に、本実施の形態において、コンテンツを選択する様子をメニュー画面を参照して説明する。
【００６３】
図１２は、メニューを立ち上げたときの様子を示す図である。メニューを表示したときに最上位の階層にいるとすると、Ｂ階層１１２には、最上位の階層に存在する各フォルダを示すアイコンが表示される。Ｃ階層１１３には、Ｂ階層１１２で選択中のフォルダ内に存在するフォルダが表示される。また、コンテンツリスト表示領域１３０には、Ｂ階層１１２で選択中のフォルダ以下に存在するコンテンツの一覧が表示される。図１２では、電話帳フォルダが選択されており、コンテンツリスト表示領域１３０には、電話帳フォルダに存在するコンテンツの一覧が表示されている。電話帳フォルダには子音ごとにコンテンツを分けたフォルダが存在しており、Ｃ階層１１３に表示されている。図１２に示す最上位の階層には、映像フォルダ、音楽フォルダ、電話帳フォルダ、写真フォルダ、および放送フォルダが存在し、それぞれでコンテンツが管理されている。もちろん、これに限るものではなく、他のサービスフォルダが存在してもよい。例えば、本の情報や映像がカテゴリ化されており、カテゴリの選択もしくは検索することでコンテンツの一覧がコンテンツリスト表示領域１３０に表示され、そしてコンテンツを選択することでそのサイトから情報を取得するものでもよい。
【００６４】
続いて、ユーザが右矢印キー３７を押すと、電話帳フォルダの１つ下の階層に移動し、図１３に示すように、Ａ階層１１１に最上位の階層のアイコンが表示され、Ｂ階層１１２に電話帳フォルダ内の各フォルダを示すアイコンが表示される。Ｃ階層１１３には、Ｂ階層１１２で選択されたフォルダ内に存在する各フォルダを示すアイコンが表示される。図１３では、「さ」行フォルダが選択されており、コンテンツリスト表示領域１３０には、「さ」行フォルダに存在する、さ行ではじまる苗字を有するコンテンツの一覧が表示されている。また、Ｃ階層１１３には、「さ」「し」「す」「せ」「そ」の各フォルダを示すアイコンが表示されている。なお、このときにユーザがリモコン端末１の傾きを変えて他のアイコンを選択すると、Ｃ階層１１３およびコンテンツリスト表示領域１３０の表示内容が選択されたアイコンに応じて変化する。
【００６５】
「さ」行フォルダが選択された状態でユーザがさらに右矢印キー３７を押すと、「さ」行フォルダの１つ下の階層に移動し、図１４に示すように、Ａ階層１１１に各子音のフォルダのアイコンが表示され、Ｂ階層１１２に「さ」行フォルダ内の各フォルダを示すアイコンが表示される。図１４では、「す」フォルダが選択されており、コンテンツリスト表示領域１３０には、「す」フォルダに存在する、「す」ではじまる苗字を有するコンテンツの一覧が表示されている。なお、さらに下の階層が存在しないので、図１４では、Ｃ階層１１３は表示されない。
【００６６】
続いて、文字を入力してコンテンツを絞り込む様子について説明する。図１５は、図１４の状態から右矢印キー３７を押して１つ上の階層に戻り、リモコン端末１を傾けて「か」行フォルダを選択した様子を示す。コンテンツリスト表示領域１３０には、か行ではじまる苗字を有するコンテンツの一覧が表示されている。この状態から文字を入力してコンテンツを絞り込む。以下、図１５の状態から「きた」の文字を入力する様子を説明する。
【００６７】
まず、中心キー７を２回押して「き」を表示させて、左方向キー５３を押して「き」を入力する。より具体的には、ユーザが中心キー７を押すことで文字入力が開始され、Ｂ階層１１２の各フォルダが文字入力のためのアイコンを示すようになる。ここでＢ階層１１２のアイコンにハイライト処理が行われ、選択されたフォルダと選択された文字とを区別する。ユーザが中心キー７を２回押すことで、左上のアイコンに割り当てられた文字が「か」→「き」と変化する。ユーザはリモコン端末１を傾けて「き」を選択し、「き」が選択されている状態で左方向キー５３を押すことで「き」の文字が入力される。
【００６８】
続いて、中心キー７を何回か押して「た」を表示させて、左方向キー５３を押して「た」を入力する。より具体的には、中心キー７を押すことでＢ階層１１２に割り当てられた文字が変化するので、入力したい「た」の文字が表示されるまで中心キー７を何回か押す。「た」の文字が表示されたら、リモコン端末１を傾けて「た」を選択する。「た」が選択されている状態で左方向キー５３を押すことで「た」の文字が入力される。
【００６９】
図１６は、「た」の文字を入力した直後のメニューの様子を示す。同図に示すように、選択されている「か」行フォルダと区別できるように、Ｂ階層１１２の「た」を示すアイコンはハイライト処理されている。文字表示欄１２１には「きた」の文字が入力されている。コンテンツリスト表示領域１３０には、「か」行フォルダに存在し、「きた」の文字を含むコンテンツの一覧が表示されている。
【００７０】
その後、ユーザは上下方向キー５１，５２を押して所望のコンテンツを選択し、決定キー３２を押すことでコンテンツを利用できる。図１７は、上下方向キー５１，５２を押してコンテンツを選択する様子を示す図である。
【００７１】
このように、文字に対応付けたフォルダでコンテンツを管理することで、フォルダを示すアイコンをそのまま文字入力に利用できる。
【００７２】
以上説明したように、本実施の形態によれば、リモコン端末１の傾きに対応させて選択可能にアイコンを表示することで、ユーザはリモコン端末１を傾けて直感的にアイコンを選択できる。アイコンにフォルダや文字を関連付けることで、リモコン端末１を傾けるだけでフォルダの選択や文字の選択ができ、カーソル移動のためにキーを何度も押す必要がなくなる。また、ユーザの文字入力行動を検知してアイコンにフォルダや文字を適宜関連付けることにより、ユーザは、文字入力とフォルダの選択を切り替える煩わしさがなくなる。
【符号の説明】
【００７３】
１…リモコン端末
１１…キー状態検出部
１２…検出部
１３…マイコン部
１４…送信部
１５…送信部
２…デジタルテレビ
２１…信号受信部
２２…信号分離部
２３…信号データ蓄積部
２４…表示制御部
２５…表示出力部
２６…ディスク制御部
２７…ネットワーク制御部
２７…表示出力部
２８…外部メモリアクセス部
３…特殊キー部
３１…電源キー
３２…決定キー
３３…削除キー
３４…プラスキー
３５…マイナスキー
３６…左矢印キー
３７…右矢印キー
５…十字キー部
５１…上方向キー
５２…下方向キー
５３…左方向キー
５４…右方向キー
７…中心キー
１００…メニュー
１１０…アイコン表示領域
１１１…Ａ階層
１１２…Ｂ階層
１１３…Ｃ階層
１１４…アイコン
１２０…検索バー表示領域
１２１…文字表示欄
１３０…コンテンツリスト表示領域
１３１…コンテンツリスト
１３２…スクロールバー
【図１】
2011002931.tif 000003
【図２】
2011002931.tif 000004
【図３】
2011002931.tif 000005
【図４】
2011002931.tif 000006
【図５】
2011002931.tif 000007
【図６】
2011002931.tif 000008
【図７】
2011002931.tif 000009
【図８】
2011002931.tif 000010
【図９】
2011002931.tif 000011
【図１０】
2011002931.tif 000012
【図１１】
2011002931.tif 000013
【図１２】
2011002931.tif 000014
【図１３】
2011002931.tif 000015
【図１４】
2011002931.tif 000016
【図１５】
2011002931.tif 000017
【図１６】
2011002931.tif 000018
【図１７】
2011002931.tif 000019
【図１８】
2011002931.tif 000020